(57)【要約】  ＳＯＮＥＴ／ＳＤＨの回線を収容するマルチレート通信装置に備えられるインタフェースボードに設けられ、伝送モジュールが実装されるポートのうち基準となるポートに実装される伝送モジュールのビットレート（回線速度）に応じて、インタフェースボードに備えられる複数の信号処理回路のそれぞれで処理される回線の構成（回線種別と数量）を制御する。  インタフェースボードで処理される第一の回線容量を分割した第二の回線容量の信号を処理する複数のグループを有し、グループ毎に処理される信号を伝送する回線をインタフェースボードに接続するポートと、信号を送受信し、ポートに実装される伝送モジュールの回線種類を判別する回線判別部と、回線判別部の判別結果に基づいて、グループがそれぞれ収容する回線の構成を制御する回線構成制御部と、回線構制御部の制御に基づいて、ポートに実装される伝送モジュールの回線種類に応じて信号を処理する信号処理部を備える。
2009037779.tif 000002
【特許請求の範囲】
【請求項１】
異なるビットレートを含む複数の回線を収容し、該回線の伝送する信号を処理するインタフェースボードを備えるマルチレート通信装置であって、
該インタフェースボードで処理される第一の回線容量を分割した第二の回線容量の該信号を処理する複数のグループを有し、
該グループ毎に処理される該信号を伝送する回線を該インタフェースボードに接続するポートと、
該信号を送受信し、該ポートに実装される伝送モジュールの回線種類を判別する回線判別部と、
該回線判別部の判別結果に基づいて、該グループがそれぞれ収容する回線の構成を制御する回線構成制御部と、
該回線構制御部の制御に基づいて、該ポートに実装される伝送モジュールの回線種類に応じて該信号を処理する信号処理部を備えることを特徴とするマルチレート通信装置。
【請求項２】
請求項１に記載のマルチレート通信装置であって、
該回線構成制御部からの制御信号に基づいて、該ポートと該信号処理部との間の信号の接続を制御する回線スイッチ部を備えることを特徴とするマルチレート通信装置。
【請求項３】
請求項１に記載のマルチレート通信装置であって、
該回線構成制御部は、予め決められた基準ポートに挿抜される伝送モジュールの回線種類の判別結果に基づいて、該グループがそれぞれ収容する回線の構成を制御することを特徴とするマルチレート通信装置。
【請求項４】
請求項１に記載のマルチレート通信装置であって、
該回線構成制御部は、予め決められた基準ポートに実装される伝送モジュールの回線種類の判別結果と、該インタフェースボードが実装されるスロットであって予め決められた基準スロットに実装される該インタフェースボードの種類とに基づいて、該グループがそれぞれ収容する回線の構成を制御することを特徴とするマルチレート通信装置。
【請求項５】
請求項１に記載のマルチレート通信装置であって、
第一の回線容量はＳＴＳ-１９２（synchronous transport signal-192）の容量を有し、第二の回線容量はＳＴＳ-４８の容量を有することを特徴とするマルチレート通信装置。
【請求項６】
請求項１に記載のマルチレート通信装置であって、
１つの該グループにおいて、ＳＴＳ-４８、ＳＴＳ-１２、ＳＴＳ-３の回線を収容することを特徴とするマルチレート通信装置。
【請求項７】
請求項１に記載のマルチレート通信装置であって、
該信号処理部は複数の回線種類に対応する信号処理回路を有し、該回線判別部の判別結果に基づいて、該回線種類に対応して該信号処理回路を選択することを特徴とするマルチレート通信装置。
【請求項８】
異なるビットレートを含む複数の回線を収容し、該回線を伝送する信号を処理するインタフェースボードを備えるマルチレート通信装置の回線構成制御方法であって、
該回線を伝送する信号を送受信し、該インタフェースボードに実装される伝送モジュールの回線種類を判別する回線判別ステップと、
該回線判別ステップでの判別結果に基づいて、該インタフェースボードで処理される第一の回線容量を分割した第二の回線容量の信号を処理する複数のグループが、それぞれ収容する回線の構成を制御する回線構成制御ステップを備えることを特徴とするマルチレート通信装置の回線構成制御方法。
【請求項９】
請求項８に記載のマルチレート通信装置の回線構成制御方法であって、
該回線判別ステップは、予め決められた基準ポートに実装される伝送モジュールの回線種類を判別することを特徴とするマルチレート通信装置の回線構成制御方法。
【請求項１０】
請求項８に記載のマルチレート通信装置の回線構成制御方法であって、
該回線構成制御ステップは、該回線判別ステップでの判別結果に基づいて、該伝送モジュールに接続する回線の信号を、該回線に対応する、該グループが収容する回線の信号を処理する信号処理部へ接続するステップと、該グループが収容する回線の種類に応じて、該回線の信号を処理する信号処理回路を選択するステップと、を含むことを特徴とするマルチレート通信装置の回線構成制御方法。
【発明の詳細な説明】
【技術分野】
【０００１】
本発明は、ＳＯＮＥＴ／ＳＤＨ（synchronous optical network／synchronous digital hierarchy）のデータやイーサネット（登録商標）のデータ等の複数の種類のデータを処理するＭＳＰＰ（multi service provisioning platform）装置において、ＳＯＮＥＴ／ＳＤＨの回線を収容するインタフェースボードに設けられ、光トランシーバ等の伝送モジュールが実装されるポートのうち基準となるポートに実装される伝送モジュールのビットレートに応じて、インタフェースボードで処理される回線の構成を制御するマルチレート通信装置及びマルチレート通信装置の回線構成制御方法に関する。
【背景技術】
【０００２】
加入者のブロードバンド化やサービスの多様化によりネットワークの様相が変わりつつある。加入者を収容するさまざまなアクセスネットワークからの信号を転送するネットワークは、ＳＯＮＥＴ／ＳＤＨのネットワークからＩＰ（internet protocol）のネットワークへと変化している。このサービスの多様化に対応したＭＳＰＰ装置の開発が行われている。【０００３】
ＭＳＰＰ装置は異なるプロトコルによって伝送される信号を処理することが求められる場合がある。この場合の一つの解決策として、ＳＯＮＥＴ／ＳＤＨのフレームを用い、ＳＯＮＥＴ／ＳＤＨベースのフレームのペイロード部分にＡＴＭ（asynchronous transfer mode）、ＰＤＨ（plesiochronous digital hierarchy）、イーサネット（登録商標）の信号を多重する方式を用いている（例えば、特許文献１参照）。【０００４】
ＭＳＰＰ装置の一つの構成として、サービス毎に、例えばＳＯＮＥＴ／ＳＤＨ、イーサネット（登録商標）、ＰＤＨ等のサービス毎に、それぞれのサービスに対応する回線にインタフェースするインタフェースボードを備え、マルチサービスを実現している。このような構成の場合、一般的に、インタフェースボードには、収容される回線のビットレートに対応した信号を処理する回路（光電気変換回路、信号終端回路等）が予め設けられている。そのため、装置運用後に収容されている回線を異なるビットレートの回線に収容替えするためには、インタフェースボードの交換作業が必要になっていた。【０００５】
また、上記のアクセスネットワーク等からの信号（光信号）を送受信する光トランシーバ等の伝送モジュールにおいては、小型化、標準化を進める取り組みとしてＳＦＦ（small form factor）及びその関連した取り組みとしてＳＦＰ（small form factor pluggable）の活動が行われている。ＳＦＦは通信機器メーカや通信会社が中心となって伝送モジュールの小型化、標準化を目的として制定されたものである。ＳＦＰはＳＦＦに準拠した伝送モジュールをプラグタイプにして挿抜可能になるように制定されたものである。【０００６】
最近のＭＳＰＰ装置ではＳＦＰに準拠した伝送モジュールが使われるようになり、インタフェースボードのポートに接続される回線のビットレートの変更が容易に出来るようになってきた。それに伴い、ＳＦＰに準拠した伝送モジュールが実装され、１つのポートにおいて異なる複数のビットレートの回線が収容可能なＭＳＰＰ装置の要求が高まっている。以降記載する伝送モジュールは、ＳＦＰに準拠した伝送モジュールとする。
【特許文献１】特開２００１−１８６１８８号公報
【発明の開示】
【発明が解決しようとする課題】
【０００７】
以上記載したように、ＳＯＮＥＴ／ＳＤＨのネットワークに収容されるＭＳＰＰ装置においては、１つのポートで異なるビットレートの回線を収容し処理できることが要求されている。しかし、複数のポートを備え、複数の回線の信号を処理するインタフェースボードでは、装置内の他のボードとインタフェースする信号の容量制限が生じる。また、インタフェースボードに備えられ、回線信号を処理するための信号処理部は、複数の種類の回線信号を処理する回路を備える必要が生じる。そして、インタフェースボードの物理的な制限、例えばボードの大きさに基づく信号処理部の実装面積、ポートの実装数により、この容量制限されたインタフェース信号を生成する信号処理部は、収容する回線信号の種類、数量に制限が生じる。インタフェースボードに実装される信号処理部の数量についても制限が生じる。よって、インタフェースボードに実装される複数の、容量制限された信号処理部において、処理される回線のビットレート、回線数に基づく回線容量を効率よく収容し、異なるビットレートの回線に対応することが課題となる。【０００８】
本発明は、ＳＯＮＥＴ／ＳＤＨの回線を収容するマルチレート通信装置に備えられるインタフェースボードに設けられ、伝送モジュールが実装されるポートのうち基準となるポートに実装される伝送モジュールのビットレート（回線速度）に応じて、インタフェースボードに備えられる複数の信号処理部のそれぞれで処理される回線の構成（回線種別と数量）を制御するマルチレート通信装置及びマルチレート通信装置の回線構成制御方法を提供することを目的とする。
【課題を解決するための手段】
【０００９】
本発明の第一の態様は、異なるビットレートを含む複数の回線を収容し、該回線の伝送する信号を処理するインタフェースボードを備えるマルチレート通信装置であって、該インタフェースボードで処理される第一の回線容量を分割した第二の回線容量の該信号を処理する複数のグループを有し、該グループ毎に処理される該信号を伝送する回線を該インタフェースボードに接続するポートと、該信号を送受信し、該ポートに実装される伝送モジュールの回線種類を判別する回線判別部と、該回線判別部の判別結果に基づいて、該グループがそれぞれ収容する回線の構成を制御する回線構成制御部と、該回線構制御部の制御に基づいて、該ポートに実装される伝送モジュールの回線種類に応じて該信号を処理する信号処理部を備えることを特徴とするマルチレート通信装置である。【００１０】
本発明の第一の態様によれば、ＭＳＰＰ装置に収容されるインタフェースボードに実装される伝送モジュールの回線種類に応じて、インタフェースボードで処理される回線の構成を制御できるマルチレート通信装置を提供することが可能となる。【００１１】
本発明の第二の態様は、異なるビットレートを含む複数の回線を収容し、該回線を伝送する信号を処理するインタフェースボードを備えるマルチレート通信装置の回線構成制御方法であって、該回線を伝送する信号を送受信し、該インタフェースボードに実装される伝送モジュールの回線種類を判別する回線判別ステップと、該回線判別ステップでの判別結果に基づいて、該インタフェースボードで処理される第一の回線容量を分割した第二の回線容量の信号を処理する複数のグループが、それぞれ収容する回線の構成を制御する回線構成制御ステップを備えることを特徴とするマルチレート通信装置の回線構成制御方法である。【００１２】
本発明の第二の態様によれば、ＭＳＰＰ装置に収容されるインタフェースボードに実装される伝送モジュールの回線種類に応じて、インタフェースボードで処理される回線が収容される構成を制御できるマルチレート通信装置の回線構成制御方法を提供することが可能となる。
【発明の効果】
【００１３】
インタフェースボードに実装される伝送モジュールの回線種類に応じて、その回線の信号を処理できるように制御することが可能となるので、１つのポートに異なるビットレートの回線を収容することが可能となり、また収容される回線のビットレートに応じて、インタフェースボードに収容される回線の構成を制御することが可能となる。よって、インタフェースボードで処理する回線の収容効率を向上させることが可能となる。
【図面の簡単な説明】
【００１４】
【図１】本発明の装置概要を説明するための図
【図２】インタフェースボードの概要を説明するための図
【図３】グループ構成について説明するための図
【図４】グループ構成のタイプ０の概要について説明するための図
【図５】グループ構成のタイプ０の回線収容について説明するための図
【図６】グループ構成のタイプ１の概要について説明するための図
【図７】グループ構成のタイプ１の回線収容について説明するための図
【図８】グループ構成のタイプ２の概要について説明するための図
【図９】グループ構成のタイプ２の回線収容について説明するための図
【図１０】グループ構成のタイプ３の概要について説明するための図
【図１１】グループ構成のタイプ３の回線収容について説明するための図
【図１２】信号処理部の概要を説明するための図
【図１３】回線構成制御部７２が有するグループ構成に関するデータベースを説明するための図
【図１４】グループ構成の設定フローを説明するための図
【図１５】インタフェースボードの概要を説明するための図（２）
【図１６】グループ構成の設定フローを説明するための図（２）
【図１７】グループ構成について説明するための図（２）
【図１８】グループ構成のタイプ１１の概要について説明するための図
【図１９】グループ構成のタイプ１２の概要について説明するための図
【図２０】グループ構成のタイプ１３の概要について説明するための図
【符号の説明】
【００１５】
１    マルチレート通信装置
１００、１０１、１０２、１０３、１０ｎ    インタフェースボード
２００    共通ボード
３０、３１、３２、３３、３４、３５、３６、３７、３８、３９、３１０、３１１、３１２    ポート
４１    回線スイッチ部
５０、５１、５２、５３、５４    信号処理部
５０１    ＳＴＳ-４８/１２/３選択回路
５０２    ＳＴＳ-４８信号処理回路
５０３    ＳＴＳ-１２信号処理回路
５０４    ＳＴＳ-３信号処理回路
５０５    信号多重分離回路
６０、６１、６２、６３、〜、６７、６８、〜、６１２    伝送モジュール
７１    回線判別部
７２    回線構成制御部
８１、８２、８３、８４    信号処理部
【発明を実施するための最良の形態】
【００１６】
以降、図面を併用して本発明の詳細を説明する。なお、図面において同一のものまたは類似するものについては同一の符号を記載する。【００１７】
図１は本発明の装置概要を説明するための図である。１はマルチレート通信装置を示す。例えば、マルチレート通信装置１は、装置構造としてシェルフ構造であり、回線を収容しその回線の信号を処理する複数のインタフェースボード１０１〜１０ｎ（インタフェースボードを総称する場合は符号１００を用いる。）と、装置の共通的な種々の信号を処理する共通部を構成する共通部ボード２００を実装できる構造を有している。また、図示していないが、インタフェースボード１００、共通部ボード２００のそれぞれの信号を接続するためのバックワイヤリングボードを備えている。【００１８】
例えば、インタフェースボード１００の回線信号の処理能力はＳＴＳ-１９２（synchronous transport signal -192）相当の回線容量であり、ビットレートが２．４Ｇｂｐｓの回線ＯＣ-４８（optical carrier -48）を４回線（４×ＳＴＳ-４８）収容できる。インタフェースボード１００にて終端された回線信号は、共通部ボード２００にて所定のチャネル（例えばＳＴＳ-１）単位に信号の挿入、分岐等が行なわれ、インタフェースボード１００から転送される。共通部ボード２００とインタフェースボード１００とを接続する信号線の数、信号速度の制限から、インタフェースボード１００はＳＴＳ-４８単位に共通部ボード２００とバックワイヤリングボードを介してインタフェースする。よって、ＳＴＳ-１９２相当の回線容量を有するインタフェースボード１００は、ＳＴＳ-４８相当の回線容量を１つの処理単位として４つの処理を行う。インタフェースボード１００は回線を収容するためのポート３０を備えている。インタフェースボード１００にポート３０を実装できる数は、インタフェースボード１００とポート３０の大きさの関係等によって制限される。回線が収容される場合、ポート３０には回線を伝送する信号を終端する伝送モジュール６０が実装される。伝送モジュール６０はプラグインタイプであり、ポート３０に挿入することによって実装が可能となる。伝送モジュール６０には伝送ケーブルが接続されているが本図では図示していない。この伝送ケーブルを介して、対向する伝送装置等と接続されることになる。インタフェースボード１００に実装されるポート数は制限されるため、ポート３０に実装される伝送モジュール６０のビットレート（回線速度）によって、インタフェースボード１００で処理される回線容量は異なってくる。【００１９】
一般に、インタフェースボード１００は、ポート３０に実装される伝送モジュール６０のビットレート（回線速度）に応じた回線信号を処理する信号処理回路を備えている。ＳＴＳ-１９２相当の回線容量をＳＴＳ-４８相当の回線容量毎に処理する４つの信号処理部のそれぞれは、その信号処理部が処理する回線種別（例えば、ＯＣ-４８、ＯＣ-１２、ＯＣ-３）と回線数（ポート数）の組合せに応じて、予め回線種別に適応する信号処理回路を備えておく。インタフェースボード１００において、この４つの信号処理部のそれぞれが処理する回線を収容するポートとその信号処理部をグルーピング（グループＡ，Ｂ，Ｃ，Ｄ）する。以降、このグループにおいて処理される回線種別と回線数の組合せをグループ構成と記載する。
（実施例１）
インタフェースボード１００の回線信号の収容効率を向上する一例として、複数あるポート３０のうち基準とするポートに実装される伝送モジュール６０のビットレート（回線速度）を検出し、そのビットレートに応じて、インタフェースボード１００のグループ構成を予め設けた類型（タイプ１，２，３：詳細は後記にて説明する。）の中から選択する。選択された類型に応じて、ポート３０からの回線信号は、何れかの信号処理部に接続されるように制御される。【００２０】
図２はインタフェースボードの概要を説明するための図である。３１〜３１２はポートである（ポートを総称する場合は符号３０を用いている。）。４１は回線スイッチ部である。５１〜５４は信号処理部である（信号処理部を総称する場合は符号５０を用いる。）。６１〜６１２は伝送モジュールであり（伝送モジュールを総称する場合は符号６０を用いている。）、それぞれに光ケーブルが接続されている。７１は回線判別部であり、７２は回線構成制御部である。なお、ポート３０の数量、信号処理部５０の数量は、インタフェースボード１００の機能に応じて決定されるものであり、本実施例にて使用している数量に限定されない。【００２１】
インタフェースボード１００は、例えばＳＴＳ-１９２の回線容量の信号を処理することが可能である。そして、マルチレート通信装置１のバックワイヤリングボードにおけるボード間インタフェース条件、共通部ボード２０の信号処理の条件等により、インタフェースボード１００ではＳＴＳ-１９２の回線容量の処理をＳＴＳ-４８の回線容量毎の４つのグループ（グループＡ，Ｂ，Ｃ，Ｄ）に分割して、信号処理部５１，５２，５３，５４のそれぞれにおいてＳＴＳ-４８相当の回線信号を処理する。【００２２】
図２に示すインタフェースボード１００は、本発明のマルチレート通信装置１に実装され、運用されている一状態を示している。基準とするポート（ポート３１）に実装された伝送モジュール６１のビットレートが検出され、そのビットレートが２．４Ｇｂｐｓであったため、グループ構成としてタイプ１（詳細は後記にて説明する。）を選択した場合について示している。タイプ１の信号処理部５１〜５４とポート３１〜３１２の関係をグループＡ，Ｂ，Ｃ，Ｄにて示している。つまり、グループＡ，Ｂ，Ｃ，Ｄのそれぞれは、信号処理部５１が処理する回線信号を収容するポート３１のグループ、信号処理部５２が処理する回線信号を収容するポート３２のグループ、信号処理部５３が処理する回線信号を収容するポート３３〜（３６）のグループ、信号処理部５４が処理する回線信号を収容するポート３７〜３１２のグループである。【００２３】
回線判別部７１は、ポート３０に実装されている伝送モジュールの種類、例えばビットレートを判別する。伝送モジュール６０には、フィジカル・インベントリ（physical inventory）と称される伝送モジュールの製品名、ビットレート、製品図番、製造番号、等の製品識別情報が格納されている。回線判別部７１は伝送モジュール６０のフィジカル・インベントリを読み出すことによって伝送モジュールの種類を判別する。【００２４】
回線構成制御部７２は、基準とするポート、例えばポート３１に実装される伝送モジュール６１の種類に基づいて、インタフェースボード１００のグループ構成を予め設けた類型（タイプ１，２，３）の中から選択する。選択されたタイプに応じて、グループに所属するポートを構成するために回線スイッチ部４１を制御する。また、回線判別部７１の判別した伝送モジュールの種類（ビットレート）に基づいて、信号処理部５０の信号処理回路を、対応するポートに実装された伝送モジュールの種類に適応するように制御する。例えば、ポート３１の伝送モジュール６１のビットレートが２．４Ｇｂｐｓ（ＯＣ-４８）であるならば、回線構成制御部７２は、信号処理部５１によって、回線スイッチ部４１を介して伝達されるポート３１からの信号がＳＴＳ-４８信号処理回路にて処理されるように制御する。また、ポート３１の伝送モジュール６１のビットレートが２．４Ｇｂｐｓ（ＯＣ-４８）であるので、グループ構成としてタイプ１が選択され（詳細は後記にて説明する。）、ポート３１はグループＡに、ポート３２はグループＢに、ポート３３〜（３６）はグループＣに、ポート３７〜３１２はグループＤにそれぞれ所属するように制御される。グループＡの信号処理部５１、グループＢの信号処理部５２、グループＣの信号処理部５３、グループＤの信号処理部５４のそれぞれは、ＳＴＳ-４８相当の回線容量の信号を処理する。【００２５】
更に、インタフェースボード１００を説明するために、ポート３０に収容される回線種別を次のように想定する。（詳細は後記にて説明するが、グループ構成として、図７のパターンＰ１３の場合を想定する。）つまり、グループＡ，ＢのそれぞれにＯＣ-４８が収容され、グループＣにＯＣ-１２が、グループＤにＯＣ-３が収容されている。ポート３１に実装されている伝送モジュール６１は受信したＯＣ-４８の光信号をＳＴＳ-４８の電気信号に変換する。回線スイッチ部４１は、回線構成制御部７２からの上記のタイプ１に対応する制御に基づいて、伝送モジュール６１からのＳＴＳ-４８の信号を信号処理部５１に接続する。このＳＴＳ-４８の信号は信号処理部５１が有するＳＴＳ-４８の信号処理回路にて終端処理され、バックワイヤリングボードを介して他のボードへ転送される。ポート３２に実装されている伝送モジュール６２においても受信したＯＣ-４８の光信号は、伝送モジュール６２にてＳＴＳ-４８の電気信号に変換され、回線スイッチ部４１を介して、信号処理部５２が有するＳＴＳ-４８の信号処理回路にて終端処理される。ポート３３に実装されている伝送モジュール６３で受信したＯＣ-１２の光信号は、伝送モジュール６３にてＳＴＳ-１２の電気信号に変換され、回線スイッチ部４１を介して、信号処理部５３が有するＳＴＳ-１２の信号処理回路にて終端処理される。ポート３７に実装されている伝送モジュール６７で受信したＯＣ-３の光信号は、伝送モジュール６７にてＳＴＳ-３の電気信号に変換され、回線スイッチ部４１を介して、信号処理部５４が有するＳＴＳ-３の信号処理回路にて終端処理される。【００２６】
図３はグループ構成について説明するための図である。【００２７】
インタフェースボード１００においては、他のボード（例えば図１の共通ボード２００）とインタフェースする信号に、信号線数、信号速度の制限が生じる。よって、このインタフェース信号を生成する信号処理部５０においても、信号処理容量に制限が設けられている。例えば、１つのインタフェースボード１００でＳＴＳ-１９２相当の回線容量を処理する場合、ＳＴＳ-４８相当の回線容量を処理する信号処理部５０が４つ設けられる。この場合、１つの信号処理部５０では、最大ＳＴＳ-４８相当の回線容量を処理することができる。つまり、信号処理部５０にて処理される回線がＳＴＳ-４８とすると１回線しか収容できず、ＳＴＳ-１２とすると４回線まで収容でき、そしてＳＴＳ-３とすると１６回線まで収容可能である。しかし、実装されるポート３０の数量制限等により、信号処理部５０で処理される回線数も制限される。【００２８】
また、１つのインタフェースボード１００において、複数の回線種別（例えば、ＯＣ-４８、ＯＣ-１２、ＯＣ-３）を収容する場合、信号処理部５０で処理する回線種別と回線数の組合せを予め設定し、信号処理部５０にその回線種別と回線数について処理できる信号処理回路を備えておく必要がある。【００２９】
この信号処理部５０で処理する回線種別と回線数の組合せを1つのグループとしたグループ構成について以下に説明する。【００３０】
例えば、インタフェースボード１００は、ＳＴＳ-１９２の回線容量の信号を処理することが可能であり、ＳＴＳ-４８毎の４つのグループ（グループＡ，Ｂ，Ｃ，Ｄ）に分割して対応する信号処理部５０によってＳＴＳ-４８相当の回線信号を処理している。【００３１】
また、インタフェースボード１００は、例えば１２個のポート３０を備えており、これをポート３１〜ポート３１２とする。【００３２】
インタフェースボード１００のグループ構成について、タイプ０、タイプ１、タイプ２、タイプ３の４つのタイプについて説明する。【００３３】
タイプ０は、グループＡ、Ｂ、Ｃ、Ｄにおいてそれぞれポート３１〜３３、ポート３４〜３６、ポート３７〜３９、ポート３１０〜３１２の信号を処理する。【００３４】
タイプ１は、グループＡ、Ｂ、Ｃ、Ｄにおいてそれぞれポート３１、ポート３２、ポート３３〜３６、ポート３７〜３１２の信号を処理する。【００３５】
タイプ２は、グループＡ、Ｂ、Ｃ、Ｄにおいてそれぞれポート３１〜３４、ポート３５〜３７、ポート３８〜３１０、ポート３１１〜３１２の信号を処理する。【００３６】
タイプ３は、グループＡ、Ｂ、Ｃ、Ｄにおいてそれぞれポート３１〜３５、ポート３６〜３９、ポート３１０〜３１１、ポート３１２の信号を処理する。【００３７】
図４はグループ構成のタイプ０の概要について説明するための図である。回線スイッチ部４１は、ポート３１〜ポート３３を介する信号のそれぞれを信号処理部５１に接続するように、ポート３４〜ポート３６を介する信号のそれぞれを信号処理部５２に接続するように、ポート３７〜ポート３９を介する信号のそれぞれを信号処理部５３に接続するように、ポート３１０〜ポート３１２を介する信号のそれぞれを信号処理部５４に接続するように、回線構成制御部７２によって制御される。【００３８】
信号処理部５１〜５４のそれぞれは、回線構成制御部７２の制御によって、ＳＴＳ-４８、ＳＴＳ-１２、ＳＴＳ-３のいずれかの信号を処理可能とする信号処理回路と、ＳＴＳ-１２、ＳＴＳ-３のいずれかの信号を処理可能とする信号処理回路を備えている。【００３９】
図５はグループ構成のタイプ０の回線収容について説明するための図である。インタフェースボード１００に収容される回線、例えばＯＣ-４８、ＯＣ-１２、ＯＣ-３の３種類の回線の組合せについて、予めパターン種類Ｐ０１〜Ｐ０４のパターンが設定され、核パターンのポートの状態を示している。【００４０】
Ｐ０１の場合、グループＡ〜ＤのそれぞれにＯＣ-４８が収容されるパターンである。信号処理部５０の回線処理容量はＯＣ-４８であるため、グループＡ〜Ｄのそれぞれで１つのポートが使用される。【００４１】
Ｐ０２の場合、グループＡ〜ＣのそれぞれにＯＣ-４８が収容され、グループＤにＯＣ-３が収容されるパターンである。グループＡ〜Ｃのそれぞれで１つのポートがＯＣ-４８を収容するために使用され、そしてグループＤで３つのポートがＯＣ-３を収容するために使用される。【００４２】
Ｐ０３の場合、グループＡ、ＢのそれぞれにＯＣ-４８が、グループＣにＯＣ-１２が、グループＤにＯＣ-３がそれぞれ収容される場合である。グループＡ、Ｂのそれぞれで１つのポートがＯＣ-４８を収容するために使用され、グループＣで３つのポートがＯＣ-１２を収容するために使用され、そしてグループＤで３つのポートがＯＣ-３を収容するために使用される。【００４３】
Ｐ０４の場合、グループＡにＯＣ-４８が、グループＢ〜ＤにそれぞれにＯＣ-３が収容される場合である。グループＡで１つのポートがＯＣ-４８を収容するために使用され、グループＢ〜Ｄのそれぞれで３つのポートがＯＣ-３を収容するために使用される。【００４４】
よって、タイプ０は、Ｐ０２〜Ｐ０４に示すように、１つのグループでＯＣ-１２もしくはＯＣ-３は最大３回線しか収容することができず、信号処理部５０の処理能力を最大限使用することを妨げている。よって、本実施例ではタイプ１〜３を使用する。【００４５】
図６はグループ構成のタイプ１の概要について説明するための図である。回線スイッチ部４１は、ポート３１を介する信号を信号処理部５１に接続するように、ポート３２を介する信号を信号処理部５２に接続するように、ポート３３〜ポート３６を介する信号のそれぞれを信号処理部５３に接続するように、そしてポート３７〜ポート３１２を介する信号のそれぞれを信号処理部５４に接続するように、回線構成制御部７２によって制御される。【００４６】
信号処理部５１、５２のそれぞれは、回線構成制御部７２の制御によって、ＳＴＳ-４８、ＳＴＳ-１２、ＳＴＳ-３のいずれかの信号を処理可能とする信号処理回路を備え、信号処理部５３は、回線構成制御部７２の制御によって、ＳＴＳ-４８、ＳＴＳ-１２、ＳＴＳ-３のいずれかの信号を処理可能とする信号処理回路と、ＳＴＳ-１２、ＳＴＳ-３のいずれかの信号を処理可能とする信号処理回路を備え、そして信号処理部５４は、回線構成制御部７２の制御によって、ＳＴＳ-４８、ＳＴＳ-１２、ＳＴＳ-３のいずれかの信号を処理可能とする信号処理回路と、ＳＴＳ-１２、ＳＴＳ-３のいずれかの信号を処理可能とする信号処理回路と、ＳＴＳ-３の信号を処理できる信号処理回路を備えている。【００４７】
図７はグループ構成のタイプ１の回線収容について説明するための図である。インタフェースボード１００に収容される回線、例えばＯＣ-４８、ＯＣ-１２、ＯＣ-３の３種類の回線の組合せについて、予めパターン種類Ｐ１１〜Ｐ１４のパターンが設定され、各パターンのポートの状態を示している。【００４８】
Ｐ１１の場合、グループＡ〜ＤのそれぞれにＯＣ-４８が収容されるパターンである。信号処理部５０の回線処理容量はＯＣ-４８であるため、グループＡ〜Ｄのそれぞれで１つのポートが使用される。【００４９】
Ｐ１２の場合、グループＡ〜ＣのそれぞれにＯＣ-４８が収容され、グループＤにＯＣ-３が収容されるパターンである。グループＡ〜Ｃのそれぞれで１つのポートがＯＣ-４８を収容するために使用され、グループＤで６つのポートがＯＣ-３を収容するために使用される。【００５０】
Ｐ１３の場合、グループＡ、ＢのそれぞれにＯＣ-４８が、グループＣにＯＣ-１２が、グループＤにＯＣ-３がそれぞれ収容されるパターンである。グループＡ、Ｂのそれぞれで１つのポートがＯＣ-４８を収容するために使用され、グループＣで４つのポートがＯＣ-１２を収容するために使用され、そしてグループＤで６つのポートがＯＣ-３を収容するために使用される。【００５１】
Ｐ１４の場合、グループＡにＯＣ-４８が、グループＢ〜ＤのそれぞれにＯＣ-３が収容されるパターンである。グループＡで１つのポートがＯＣ-４８を収容するために使用され、グループＢ〜Ｄのグループの合計で１１のポートがＯＣ-３を収容するために使用される。【００５２】
よって、タイプ１は、ＯＣ-４８がポート３１もしくはポート３１，３２に収容されることを想定した場合に有用な構成である。【００５３】
図８はグループ構成のタイプ２の概要について説明するための図である。回線スイッチ部４１は、ポート３１〜ポート３４を介する信号のそれぞれを信号処理部５１に接続するように、ポート３５〜ポート３７を介する信号のそれぞれを信号処理部５２に接続するように、ポート３８〜ポート３１０を介する信号のそれぞれを信号処理部５３に接続するように、そしてポート３１１〜ポート３１２を介する信号のそれぞれを信号処理部５４に接続するように、回線構成制御部７２によって制御される。【００５４】
信号処理部５１〜５４のそれぞれは、回線構成制御部７２の制御によって、ＳＴＳ-４８、ＳＴＳ-１２、ＳＴＳ-３のいずれの信号を処理可能とする信号処理回路と、ＳＴＳ-１２、ＳＴＳ-３のいずれかの信号を処理可能とする信号処理回路を備えている。【００５５】
図９はグループ構成のタイプ２の回線収容について説明するための図である。インタフェースボード１００に収容される回線、例えばＯＣ-４８、ＯＣ-１２、ＯＣ-３の３種類の回線の組合せについて、予めパターン種類Ｐ２１〜Ｐ２４のパターンが設定され、各パターンのポートの状態を示している。【００５６】
Ｐ２１の場合、グループＡ〜ＤのそれぞれにＯＣ-４８が収容されるパターンである。信号処理部５０の回線処理容量はＯＣ-４８であるため、グループＡ〜Ｄのそれぞれで１つのポートが使用される。【００５７】
Ｐ２２の場合、グループＡ〜ＤのそれぞれにＯＣ-１２が収容されるパターンである。グループＡで４つのポートがＯＣ-１２を収容するために使用され、グループＢ、Ｃのそれぞれで３つのポートがＯＣ-１２を収容するために使用され、そしてグループＤで２つのポートがＯＣ-１２を収容するために使用される。【００５８】
Ｐ２３の場合、グループＡにＯＣ-１２が、グループＢ〜ＤのそれぞれにＯＣ-３が収容されるパターンである。グループＡで４つのポートがＯＣ-１２を収容するために使用され、グループＢ、Ｃのそれぞれで３つのポートがＯＣ-３を収容するために使用され、そしてグループＤで２つのポートがＯＣ-３を収容するために使用される。【００５９】
Ｐ２４の場合、グループＡにＯＣ-１２とＯＣ-３が、グループＢ〜ＤのそれぞれにＯＣ-３が収容されるパターンである。グループＡで１つのポートがＯＣ-１２を収容するために使用され、グループＡ〜Ｄのグループの合計で１１のポートがＯＣ-３を収容するために使用される。【００６０】
よって、タイプ２は、ＯＣ-１２がポート３１に収容され、その他のポートにＯＣ-１２もしくはＯＣ-３が収容されることを想定した場合に有用な構成である。【００６１】
図１０はグループ構成のタイプ３の概要について説明するための図である。回線スイッチ部４１は、ポート３１〜ポート３５を介する信号のそれぞれを信号処理部５１に接続するように、ポート３６〜ポート３９を介する信号のそれぞれを信号処理部５２に接続するように、ポート３１０〜ポート３１１を介する信号のそれぞれを信号処理部５３に接続するように、そしてポート３１２を介する信号を信号処理部５４に接続するように、回線構成制御部７２によって制御される。【００６２】
信号処理部５１は、回線構成制御部７２の制御によって、ＳＴＳ-４８、ＳＴＳ-１２、ＳＴＳ-３のいずれかの信号を処理可能とする信号処理回路と、ＳＴＳ-１２、ＳＴＳ-３のいずれかの信号を処理可能とする信号処理回路と、ＳＴＳ-３の信号を処理できる信号処理回路を備え、信号処理部５２、５３のそれぞれは、回線構成制御部７２の制御によって、ＳＴＳ-４８、ＳＴＳ-１２、ＳＴＳ-３のいずれかの信号を処理可能とする信号処理回路と、ＳＴＳ-１２、ＳＴＳ-３のいずれかの信号を処理可能とする信号処理回路を備え、そして信号処理部５４は、回線構成制御部７２によって、ＳＴＳ-４８、ＳＴＳ-１２、ＳＴＳ-３のいずれかの信号を処理可能とする信号処理回路を備えている。【００６３】
図１１はグループ構成のタイプ３の回線収容について説明するための図である。インタフェースボード１００に収容される回線、例えばＯＣ-４８、ＯＣ-１２、ＯＣ-３の３種類の回線の組合せについて、予めパターン種類Ｐ３１〜Ｐ３４のパターンが設定され、各パターンのポートの状態を示している。【００６４】
Ｐ３１の場合、グループＡ〜ＤのそれぞれにＯＣ-４８が収容されるパターンである。信号処理部５０の回線処理容量はＯＣ-４８であるため、グループＡ〜Ｄのそれぞれで１つのポートが使用される。【００６５】
Ｐ３２の場合、グループＡ、ＢのそれぞれにＯＣ-１２が、グループＣ、ＤのそれぞれにＯＣ-３が収容される場合である。グループＡ、Ｂのそれぞれで４つのポートがＯＣ-１２を収容するために使用され、グループＣで２つのポートがＯＣ-３を収容するために使用され、そしてグループＤで１つのポートがＯＣ-３を収容するために使用される。【００６６】
Ｐ３３の場合、グループＡにＯＣ-１２が、グループＢ〜ＤのそれぞれにＯＣ-３が収容されるパターンである。グループＡで４つのポートがＯＣ-１２を収容するために使用され、グループＢで４つのポートがＯＣ-３を収容するために使用され、グループＣで２つのポートがＯＣ-３を収容するために使用され、そしてグループＤで１つのポートがＯＣ-３を収容するために使用される。【００６７】
Ｐ３４の場合、グループＡ〜ＤのそれぞれにＯＣ-３が収容されるパターンである。グループＡ〜Ｄの全てのポートがＯＣ-３を収容するために使用される。【００６８】
よって、タイプ３は、ＯＣ-３がポート３１に収容され、ＯＣ-３が多く、ＯＣ-３、ＯＣ-１２が混在して使用されることを想定した場合に有用な構成である。【００６９】
以上により、インタフェースボード１００に収容される回線の種類に応じて、インタフェースボード１００のグループ構成を変更することによって、インタフェースボードで処理される回線容量、インタフェースボード１００に収容される回線の数量において効率化できる。【００７０】
そのために、信号処理部５０の構成がタイプ１〜３に対応できるように、信号処理部５１については図１０に示した信号処理部５１の構成にし、信号処理部５２については図１０に示した信号処理部５２の構成にし、信号処理部５３については図６に示した信号処理部５３の構成にし、信号処理部５４については図６に示した信号処理部５４の構成にする。【００７１】
図１２は信号処理部の概要を説明するための図である。説明のため、図６に示した信号処理部５４の構成を示している。【００７２】
５０１はＳＴＳ-４８/１２/３選択回路である。５０２はＳＴＳ-４８信号処理回路、５０３はＳＴＳ-１２信号処理回路、５０４はＳＴＳ-３信号処理回路である。５０５は信号多重分離回路である。【００７３】
ＳＴＳ-４８/１２/３選択回路５０１は、回線構成制御部７２の制御に基づいて、ポート３０にて送受信される回線信号を処理する回路を選択する。【００７４】
ＳＴＳ-４８信号処理回路５０２はＳＴＳ-４８の信号を終端処理する。ＳＴＳ-１２信号処理回路５０３はＳＴＳ-１２の信号を終端処理する。ＳＴＳ-３信号処理回路５０４はＳＴＳ-３の信号を終端処理する。【００７５】
信号多重分離回路５０５は、回線構成制御部７２の制御に基づいて、ＳＴＳ-４８、ＳＴＳ-１２、ＳＴＳ-３の信号の多重処理や分離処理を行う。【００７６】
なお、信号処理部５０の構成として、ＳＴＳ-４８/１２/３のそれぞれの回線信号を共通的に処理できる回路を備え、回線構成制御部７２の制御に基づいて、ＳＴＳ-４８/１２/３の何れかの回線信号の終端処理を行い、回線信号の多重分離処理を行う手段を有することも可能である。【００７７】
図１３は回線構成制御部７２が有するグループ構成に関するデータベースを説明するための図である。図６〜図１１にて説明したグループ構成のタイプ１、タイプ２、タイプ３に関するポート番号、ポートが所属するグループを示すグループ記号、ポートに収容される可能性のある回線を処理する信号処理回路に関する情報のデータベースである。【００７８】
回線構成制御部７２はポート３０に実装される伝送モジュール６０の種類に応じて、本データベースを参照して回線スイッチ部４１、信号処理部５０を制御する。【００７９】
例えば、回線構成制御部７２は、グループ構成がタイプ１に設定された場合、ポート番号１のポートに収容される回線はＯＣ-４８、ＯＣ-１２、ＯＣ-３のいずれかであり、ポート番号１のポートに実装される伝送モジュール６０の種類（ビットレート）に応じて信号処理回路を選択する。例えば、回線構成制御部７２は、グループ構成がタイプ２に設定されれば、ポート番号６のポートに収容される回線はＯＣ-１２、ＯＣ-３のいずれかであり、ポート番号６のポートに実装される伝送モジュール６０の種類（ビットレート）に応じて信号処理回路を選択する。【００８０】
図１４はグループ構成の設定フローを説明するための図である。インタフェースボード１００が有するポート３０に予め基準のポートを設け、その基準のポートに実装される伝送モジュール６０の種類（ビットレート）に基づいてグループ構成を設定する。なお、基準のポートは第１ポート（ポート３１）とする。【００８１】
Ｓ１１．  図２に示した回線判別部７１は第１のポートに伝送モジュール６０が実装されたかを、伝送モジュール６０から読み出すフィジカル・インベントリの情報をもとに監視する。伝送モジュール６０が実装された場合にはステップＳ１２を実行する。【００８２】
Ｓ１２．  回線判別部７１は、第１のポートに実装された伝送モジュール６０の回線種類がＯＣ-４８であるか否かを、伝送モジュール６０から読み出すフィジカル・インベントリの情報をもとに判断する。ＯＣ-４８であった場合はステップＳ１４を、ＯＣ-４８でなかった場合はステップＳ１３を実行する。【００８３】
Ｓ１３．  回線判別部７１は、第１のポートに実装された伝送モジュール６０の回線種類がＯＣ-１２であるか否かを、伝送モジュール６０から読み出すフィジカル・インベントリの情報をもとに判断する。ＯＣ-１２であった場合はステップＳ１５を、ＯＣ-１２でなかった場合つまりＯＣ-３である場合なのでステップＳ１６を実行する。【００８４】
Ｓ１４．  図２に示した回線構成制御部７２は、回線判別部７１から通知される情報によって、第１ポートに実装された伝送モジュールに収容された回線はＯＣ-４８であることを認識する。よって、回線構成制御部７２はグループ構成のタイプ１を選択し、図１３に示したデータベースに基づいて、回線スイッチ部４１に対し、図６に示したように、ポート３１を介する信号を信号処理部５１に接続するように、ポート３２を介する信号を信号処理部５２に接続するように、ポート３３〜ポート３６を介する信号のそれぞれを信号処理部５３に接続するように、そしてポート３７〜ポート３１２を介する信号のそれぞれを信号処理部５４に接続するように制御する。【００８５】
また、ステップＳ１４において、回線構成制御部７２は、回線判別部７１から通知される各ポートに実装された伝送モジュールの種類の情報（ビットレート）に基づいて、図１２に示すように、ポートを介する信号をビットレートに対応した信号処理回路に接続するように信号処理部５０を制御する。【００８６】
Ｓ１５．  回線構成制御部７２は、回線判別部７１から通知される情報によって、第１ポートに実装された伝送モジュールに収容された回線はＯＣ-１２であることを認識する。よって、回線制御部７２はグループ構成のタイプ２を選択し、図１３に示したデータベースに基づいて、回線スイッチ部４１に対し、図８に示したように、ポート３１〜ポート３４を介する信号のそれぞれを信号処理部５１に接続するように、ポート３５〜ポート３７を介する信号のそれぞれを信号処理部５２に接続するように、ポート３８〜ポート３１０を介する信号のそれぞれを信号処理部５３に接続するように、そしてポート３１１〜ポート３１２を介する信号のそれぞれを信号処理部５４に接続するように制御する。【００８７】
また、ステップＳ１５において、回線構成制御部７２は、回線判別部７１から通知される各ポートに実装された伝送モジュールの種類の情報（ビットレート）に基づいて、図１２に示すように、ポートを介する信号をビットレートに対応した信号処理回路に接続するように信号処理部５０を制御する。【００８８】
Ｓ１６．  回線構成制御部７２は、回線判別部７１から通知される情報によって、第１ポートに実装された伝送モジュールに収容された回線はＯＣ-３であることを認識する。よって、回線制御部７２はグループ構成のタイプ３を選択し、図１３に示したデータベースに基づいて、回線スイッチ部４１に対し、図１０に示したように、ポート３１〜ポート３５を介する信号のそれぞれを信号処理部５１に接続するように、ポート３６〜ポート３９を介する信号のそれぞれを信号処理部５２に接続するように、ポート３１０〜ポート３１１を介する信号のそれぞれを信号処理部５３に接続するように、そしてポート３１２を介する信号を信号処理部５４に接続するように制御する。【００８９】
また、ステップＳ１６において、回線構成制御部７２は、回線判別部７１から通知される各ポートに実装された伝送モジュールの種類の情報（ビットレート）に基づいて、図１２に示すように、ポートを介する信号をビットレートに対応した信号処理回路に接続するように信号処理部５０を制御する。【００９０】
本実施例によれば、１つのポートに異なる種類の回線を収容することが可能となり、インタフェースボードが有するポートの基準となるポートに収容される回線の種類（ビットレート）に応じて、ポートが所属するグループ構成を設定することが可能となる。よって、インタフェースボードで処理する回線容量を向上させることが可能となる。【００９１】
なお、上記実施例において、インタフェースボードが有するポート数（例えば１２）、インタフェースボードが収容し処理する第一の回線容量（例えばＳＴＳ-１９２相当）、第一の回線容量を分割した第二の回線容量（例えばＳＴＳ-４８相当）の回線信号を処理するグループの数（例えば４）、各グループに所属するポートの数については、インタフェースボードに搭載できる回路規模、インタフェースボードを収容するマルチレート通信装置の信号処理アーキテクチャ（インタフェースボードと共通ボード間のインタフェース条件等）等によって決定されるが、上記で説明したマルチレート通信装置及びマルチレート通信装置の回線構成制御方法を適用することは可能である。
（実施例２）
図１において、マルチレート通信装置１の使われ方により、本装置に実装されるインタフェースボード１００の種類が異なってくる。例えば、ＯＣ-１９２等が伝送される高速ネットワークに使用される場合には、高速ネットワーク側の回線を収容するインタフェースボード１００にＯＣ-１９２の回線が収容され、そして他のインタフェースボード１００に収容される回線にはＯＣ-４８等の比較的高速な回線が多く使われる傾向にある。また、ＯＣ-４８等が伝送される中低速ネットワークに使用される場合には、インタフェースボード１００にＯＣ-１９２の回線が収容されず、インタフェースボード１００に収容される回線にはＯＣ-１２、ＯＣ-３等の比較的低速な回線が多く使用される傾向にある。よって、マルチレート通信装置１のこのような使われ方の特徴を判別することが可能なインタフェースボード１００が実装されるスロットを基準スロットに設定する。【００９２】
本実施例では、インタフェースボード１００が実装されるスロットに基準スロットを設定し、その基準スロットに実装される回線の種類に応じてグループ構成を設定する条件を追加することによって、インタフェースボード１００に収容される回線容量を向上させる運用が可能である。【００９３】
図１５はインタフェースボードの概要を説明するための図（２）である。図２と同様、本発明のマルチレート通信装置１に実装され、運用されているインタフェースボード１００の一状態を示している。インタフェースボード１００のポート３１，３２，３３、〜３１２に、それぞれ伝送モジュール６１，６２，６３、〜６１２が実装され、運用されている。そして、図２に示したインタフェースボード１００の回線構成制御部７２に対し、以下に記載する機能が追加されている。【００９４】
図１５のインタフェースボード１００は、本インタフェースボード１００のフィジカル・インベントリ情報を共通ボード２０へ通知している。図１５の回線構成制御部７２は、共通ボード２０から通知される、基準スロットに実装されるインタフェースボード１００の回線情報を受信し、グループ構成の設定制御を実施している。【００９５】
共通ボード２０では共通スロットに実装されたインタフェースボード１００からのフィジカル・インベントリ情報を受信し、共通スロットに実装されたインタフェースボード１００の回線情報を各インタフェースボード１００へ通知している。【００９６】
図１６はグループ構成の設定フローを説明するための図（２）である。インタフェースボード１００が有するポート３０に予め基準のポートを設け、その基準のポートに実装される伝送モジュール６０の種類（ビットレート）に基づいてグループ構成を設定する。なお、基準のポートは第１ポート（ポート３１）とする。また、基準スロットにはインタフェースボード１００が実装されている。【００９７】
Ｓ２１．  図１５に示した回線判別部７１は第１ポートに伝送モジュール６０が実装されたかを、伝送モジュール６０から読み出すフィジカル・インベントリの情報をもとに監視する。伝送モジュール６０が実装された場合にはステップＳ２２を実行する。【００９８】
Ｓ２２．  回線判別部７１は、第１のポートに実装された伝送モジュール６０の回線種類がＯＣ-４８であるか否かを、伝送モジュール６０から読み出すフィジカル・インベントリの情報をもとに判断する。ＯＣ-４８であった場合はステップＳ２３を、ＯＣ-４８でなかった場合はステップＳ２４を実行する。【００９９】
Ｓ２３．  回線構成制御部７２は、共通ボード２０からの基準スロットに実装されたインタフェースボード１００の回線情報を受信し、ＯＣ-１９２であるか否かを判断する。ＯＣ-１９２であった場合はステップＳ２６を、ＯＣ-１９２でなかった場合はステップＳ２７を実行する。【０１００】
Ｓ２４．回線判別部７１は、第１のポートに実装された伝送モジュール６０の回線種類がＯＣ-１２であるか否かを、伝送モジュール６０から読み出すフィジカル・インベントリの情報をもとに判断する。ＯＣ-１２であった場合はステップＳ２５を、ＯＣ-１２でなかった場合はステップＳ３０を実行する。【０１０１】
Ｓ２５．  回線構成制御部７２は、共通ボード２０からの基準スロットに実装されたインタフェースボード１００の回線情報を受信し、ＯＣ-１９２であるか否かを判断する。ＯＣ-１９２でなかった場合はステップＳ２８を、ＯＣ-１９２であった場合はステップＳ２９を実行する。【０１０２】
Ｓ２６．  図１５に示した回線構成制御部７２は、回線判別部７１から通知される情報によって、第１ポートに実装された伝送モジュールに収容された回線はＯＣ-４８であること、基準スロットに実装されるインタフェースボードがＯＣ-１９２の回線を収容していることを認識する。よって回線構成制御部７２がグループ構成のタイプ１を選択し、回線スイッチ部４１に対し、図６に示したように、ポート３１を介する信号を信号処理部５１に接続するように、ポート３２を介する信号を信号処理部５２に接続するように、ポート３３〜ポート３６を介する信号のそれぞれを信号処理部５３に接続するように、そしてポート３７〜ポート３１２を介する信号のそれぞれを信号処理部５４に接続するように制御する。【０１０３】
また、ステップＳ２６において、回線構成制御部７２は、回線判別部７１から通知される各ポートに実装された伝送モジュールの種類の情報に基づいて、図１２に示すように、ポートを介する信号をビットレートに対応した信号処理回路に接続するように信号処理部５０を制御する。【０１０４】
Ｓ２７．  図１５に示した回線構成制御部７２は、回線判別部７１から通知される情報によって、第１ポートに実装された伝送モジュールに収容された回線はＯＣ-４８であること、基準スロットに実装されたインタフェースボードがＯＣ-１９２の回線を収容していないことを認識するので、グループ構成のタイプ１のグループＢに、より多くのポートが所属するようなグループ構成を設定する。回線構成制御部７２は、回線スイッチ部４１に対し、ポート３１を介する信号を信号処理部５１に接続するように、ポート３２〜ポート３４を介する信号のそれぞれを信号処理部５２に接続するように、ポート３５〜ポート３８を介する信号のそれぞれを信号処理部５３に接続するように、そしてポート３９〜ポート３１２を介する信号のそれぞれを信号処理部５４に接続するように制御する。【０１０５】
また、ステップＳ２７において、回線構成制御部７２は、回線判別部７１から通知される各ポートに実装された伝送モジュールの種類の情報（ビットレート）に基づいて、図１２に示すように、ポートを介する信号をビットレートに対応した信号処理回路に接続するように信号処理部５０を制御する。【０１０６】
Ｓ２８．  回線構成制御部７２は、回線判別部７１から通知される情報によって、第１ポートに実装された伝送モジュールに収容された回線はＯＣ-１２であること、基準スロットに実装されたインタフェースボードがＯＣ-１９２の回線を収容していないことを認識する。よって回線構成制御部７２はグループ構成のタイプ２を選択し、回線スイッチ部４１に対し、図８に示したように、ポート３１〜ポート３４を介する信号のそれぞれを信号処理部５１に接続するように、ポート３５〜ポート３７を介する信号のそれぞれを信号処理部５２に接続するように、ポート３８〜ポート３１０を介する信号のそれぞれを信号処理部５３に接続するように、そしてポート３１１〜ポート３１２を介する信号のそれぞれを信号処理部５４に接続するように制御する。【０１０７】
また、ステップＳ２８において、回線構成制御部７２は、回線判別部７１から通知される各ポートに実装された伝送モジュールの種類の情報（ビットレート）に基づいて、図１２に示すように、ポートを介する信号をビットレートに対応した信号処理回路に接続するように信号処理部５０を制御する。【０１０８】
Ｓ２９．  回線構成制御部７２は、回線判別部７１から通知される情報によって、ポート３１に実装された伝送モジュールに収容された回線はＯＣ-１２であること、基準スロットに実装されたインタフェースボードがＯＣ-１９２の回線を収容していることを認識するので、グループ構成のタイプ２のグループＢに多くのポートが所属するようなグループ構成を設定する。回線構成制御部７２は、回線スイッチ部４１に対し、ポート３１〜ポート３４を介する信号のそれぞれを信号処理部５１に接続するように、ポート３５〜ポート３８を介する信号のそれぞれを信号処理部５２に接続するように、ポート３９〜ポート３１１を介する信号のそれぞれを信号処理部５３に接続するように、そしてポート３１２を介する信号を信号処理部５４に接続するように制御する。【０１０９】
また、ステップＳ２９において、回線構成制御部７２は、回線判別部７１から通知される各ポートに実装される伝送モジュールの種類の情報（ビットレート）に基づいて、図１２に示すように、ポートを介する信号をビットレートに対応した信号処理回路に接続するように信号処理部５０を制御する。【０１１０】
Ｓ３０．  回線構成制御部７２は、回線判別部７１から通知される情報によって、ポート３１に実装された伝送モジュールに収容された回線はＯＣ-３であることを認識する。よって回線構成制御部７２はグループ構成のタイプ３を選択し、回線スイッチ部４１に対し、図１０に示したように、ポート３１〜ポート３５を介する信号のそれぞれを信号処理部５１に接続するように、ポート３６〜ポート３９を介する信号のそれぞれを信号処理部５２に接続するように、ポート３１０〜ポート３１１を介する信号のそれぞれを信号処理部５３に接続するように、そしてポート３１２を介する信号を信号処理部５４に接続するように制御する。【０１１１】
また、ステップＳ３０において、回線構成制御部７２は、回線判別部７１から通知される各ポートに実装された伝送モジュールの種類の情報に基づいて、図１２に示すように、ポートを介する信号をビットレートに対応した信号処理回路に接続するように信号処理部５０を制御する。【０１１２】
本実施例によれば、１つのポートに異なるビットレートの回線を収容することが可能となり、インタフェースボードが有するポートの基準となるポートに収容される回線の種類（ビットレート）と、マルチレート通信装置の基準スロットに実装されるインタフェースボードが収容している回線の種類に応じて、ポートが所属するグループ構成を設定することが可能となる。よって、インタフェースボードで処理する回線容量を向上させることが可能となる。【０１１３】
なお、上記実施例において、インタフェースボードが有するポート数（例えば１２）、インタフェースボードが収容し処理する第一の回線容量（例えばＳＴＳ-１９２相当）、第一の回線容量を分割した第二の回線容量（例えばＳＴＳ-４８相当）の信号を処理するグループの数（例えば４）、各グループに所属するポートの数、基準スロットに実装されるインタフェースボードが収容する回線（例えばＯＣ-１９２）については、インタフェースボードに搭載できる回路規模、インタフェースボードを収容するマルチレート通信装置の信号処理アーキテクチャ（インタフェースボードと共通ボード間のインタフェース条件等）等によって決定され、上記で説明したマルチレート通信装置及びマルチレート通信装置の回線構成制御方法を適用することは可能である。
（実施例３）
図２において、信号処理部５１〜５４にイーサネット（登録商標）の信号処理回路とイーサネット（登録商標）信号をＳＯＮＥＴ信号フォーマット上に展開するイーサ・オーバー・ＳＯＮＥＴ（ＥｏＳ）回路を備えることによって、インタフェースボード１００は、伝送モジュール６０にイーサネット（登録商標）の伝送モジュールを実装し、イーサネット（登録商標）信号を処理することが可能となる。このＥｏＳ回路を備えた信号処理部を信号処理部８１〜８４（図１８、１９に記載。）と記載する。【０１１４】
図１７はイーサネット（登録商標）信号を処理するインタフェースボード１００のグループ構成（２）について説明するための図である。【０１１５】
例えば、インタフェースボード１００は１２個のポート３１〜３１２を有し、ＳＴＳ-１９２の回線容量の処理を４つのグループ（グループＡ〜Ｄ）にてＳＴＳ-４８の回線容量の処理をそれぞれ行っている。この条件は図３と同じである。【０１１６】
タイプ１１は、グループＡ、Ｂ、Ｃ、Ｄにおいてそれぞれポート３１〜３２、ポート３３〜３４、ポート３５〜３６、ポート３７〜３１２の信号を処理する。【０１１７】
タイプ１２は、グループＡ、Ｂ、Ｃ、Ｄにおいてそれぞれポート３１〜３２、ポート３３〜３４、ポート３５〜３８、ポート３９〜３１２信号を処理する。【０１１８】
タイプ１３は、グループＡ、Ｂ、Ｃ、Ｄにおいてそれぞれポート３１〜３３、ポート３４〜３６、ポート３７〜３９、ポート３１０〜３１２の信号を処理する。【０１１９】
図１８はイーサネット（登録商標）信号を処理するインタフェースボード１００において、グループ構成のタイプ１１の概要について説明するための図である。回線スイッチ部４１は、ポート３１〜ポート３２を介する信号のそれぞれを信号処理部８１に接続するように、ポート３３〜ポート３４を介する信号のそれぞれを信号処理部８２に接続するように、ポート３５〜ポート３６を介する信号のそれぞれを信号処理部８３に接続するように、そしてポート３７〜ポート３１２を介する信号のそれぞれを信号処理部８４に接続するように制御される。【０１２０】
信号処理部８１〜８３のそれぞれは、１０００ＢＡＳＥ、１００ＢＡＳＥのいずれかの信号を処理できる信号処理回路を備え、信号処理部８４は、１０００ＢＡＳＥ、１００ＢＡＳＥのいずれかの信号を処理できる信号処理回路と、１００ＢＡＳＥの信号を処理できる信号処理回路を備えている。なお、１００ＢＡＳＥの信号を処理できる信号処理回路は１０ＢＡＳＥの信号も処理できる回路とする。【０１２１】
図１９はイーサネット（登録商標）信号を処理するインタフェースボード１００において、グループ構成のタイプ１２の概要について説明するための図である。回線スイッチ部４１は、ポート３１〜ポート３２を介する信号のそれぞれを信号処理部８１に接続するように、ポート３３〜ポート３４を介する信号のそれぞれを信号処理部８２に接続するように、ポート３５〜ポート３８を介する信号のそれぞれを信号処理部８３に接続するように、そしてポート３９〜ポート３１２を介する信号のそれぞれを信号処理部８４に接続するように制御される。【０１２２】
信号処理部８１〜８２のそれぞれは、１０００ＢＡＳＥ、１００ＢＡＳＥのいずれの信号を処理できる信号処理回路を備え、信号処理部８３〜８４は、１０００ＢＡＳＥ、１００ＢＡＳＥのいずれかの信号を処理できる信号処理回路と、１００ＢＡＳＥの信号を処理できる信号処理回路を備えている。なお、１００ＢＡＳＥの信号を処理できる信号処理回路は１０ＢＡＳＥの信号も処理できる回路とする。【０１２３】
図２０はイーサネット（登録商標）信号を処理するインタフェースボード１００において、グループ構成のタイプ１３の概要について説明するための図である。回線スイッチ部４１は、ポート３１〜ポート３３を介する信号のそれぞれを信号処理部８１に接続するように、ポート３４〜ポート３６を介する信号のそれぞれを信号処理部８２に接続するように、ポート３７〜ポート３９を介する信号のそれぞれを信号処理部８３に接続するように、そしてポート３１０〜ポート３１２を介する信号のそれぞれを信号処理部８４に接続するように制御される。【０１２４】
信号処理部８１〜８４のそれぞれは、１０００ＢＡＳＥ、１００ＢＡＳＥのいずれかの信号を処理できる信号処理回路と、１００ＢＡＳＥの信号を処理できる信号処理回路を備えている。なお、１００ＢＡＳＥの信号を処理できる信号処理回路は１０ＢＡＳＥの信号も処理できる回路とする。【０１２５】
本実施例によれば、イーサネット（登録商標）信号を処理するインタフェースボードにおいても、実施例１の図１４で説明したフローチャートと同様のフローチャート（図示せず。）により、１つのポートに異なるビットレートの回線を収容することが可能となり、またインタフェースボードが有するポートの基準となるポートに収容される回線の種類（ビットレート）に応じて、ポートが所属するグループ構成を設定することが可能となる。よって、インタフェースボードで処理する回線容量を向上させることが可能となる。【０１２６】
なお、上記実施例において、インタフェースボードが有するポート数（例えば１２）、インタフェースボードが収容し処理する第一の回線容量（例えばＳＴＳ-１９２相当）、第一の回線容量を分割した第二の回線容量（例えばＳＴＳ-４８相当）の信号を処理するグループの数（例えば４）、各グループに所属するポートの数については、インタフェースボードに搭載できる回路規模、インタフェースボードを収容するマルチレート通信装置の信号処理アーキテクチャ（インタフェースボードと共通ボード間のインタフェース条件等）等によって決定されるが、上記で説明したマルチレート通信装置及びマルチレート通信装置の回線構成制御方法を適用することは可能である。
【図１】
2009037779.tif 000003
【図２】
2009037779.tif 000004
【図３】
2009037779.tif 000005
【図４】
2009037779.tif 000006
【図５】
2009037779.tif 000007
【図６】
2009037779.tif 000008
【図７】
2009037779.tif 000009
【図８】
2009037779.tif 000010
【図９】
2009037779.tif 000011
【図１０】
2009037779.tif 000012
【図１１】
2009037779.tif 000013
【図１２】
2009037779.tif 000014
【図１３】
2009037779.tif 000015
【図１４】
2009037779.tif 000016
【図１５】
2009037779.tif 000017
【図１６】
2009037779.tif 000018
【図１７】
2009037779.tif 000019
【図１８】
2009037779.tif 000020
【図１９】
2009037779.tif 000021
【図２０】
2009037779.tif 000022
【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
異なるビットレートを含む複数の回線を収容し、該回線の伝送する信号を処理するインタフェースボードを備えるマルチレート通信装置であって、
該インタフェースボードで処理される第一の回線容量を分割した第二の回線容量の該信号を処理する複数のグループを有し、
該グループ毎に処理される該信号を伝送する回線を該インタフェースボードに接続するポートと、
該信号を送受信し、該ポートに実装される伝送モジュールの回線種類を判別する回線判別部と、
該回線判別部の判別結果に基づいて、該グループがそれぞれ収容する回線の構成を制御する回線構成制御部と、
該回線構制御部の制御に基づいて、該ポートに実装される伝送モジュールの回線種類に応じて該信号を処理する信号処理部を備えることを特徴とするマルチレート通信装置。
【請求項２】
請求項１に記載のマルチレート通信装置であって、
該回線構成制御部からの制御信号に基づいて、該ポートと該信号処理部との間の信号の接続を制御する回線スイッチ部を備えることを特徴とするマルチレート通信装置。
【請求項３】
請求項１に記載のマルチレート通信装置であって、
該回線構成制御部は、予め決められた基準ポートに挿抜される伝送モジュールの回線種類の判別結果に基づいて、該グループがそれぞれ収容する回線の構成を制御することを特徴とするマルチレート通信装置。
【請求項４】
請求項１に記載のマルチレート通信装置であって、
該回線構成制御部は、予め決められた基準ポートに実装される伝送モジュールの回線種類の判別結果と、該インタフェースボードが実装されるスロットであって予め決められた基準スロットに実装される該インタフェースボードの種類とに基づいて、該グループがそれぞれ収容する回線の構成を制御することを特徴とするマルチレート通信装置。
【請求項５】
異なるビットレートを含む複数の回線を収容し、該回線を伝送する信号を処理するインタフェースボードを備えるマルチレート通信装置の回線構成制御方法であって、
該回線を伝送する信号を送受信し、該インタフェースボードに実装される伝送モジュールの回線種類を判別する回線判別ステップと、
該回線判別ステップでの判別結果に基づいて、該インタフェースボードで処理される第一の回線容量を分割した第二の回線容量の信号を処理する複数のグループが、それぞれ収容する回線の構成を制御する回線構成制御ステップを備えることを特徴とするマルチレート通信装置の回線構成制御方法。
【請求項６】
請求項５に記載のマルチレート通信装置の回線構成制御方法であって、
該回線判別ステップは、予め決められた基準ポートに実装される伝送モジュールの回線種類を判別することを特徴とするマルチレート通信装置の回線構成制御方法。
【国際調査報告】
2009037779.tif 000023
2009037779.tif 000024
2009037779.tif 000025
2009037779.tif 000026